(57)【要約】【課題】冷房運転期間中は空調運転終了後室内機内は温度が上昇し残留結露水が蒸発し湿潤の状態になり、酸素と複合してカビ、雑菌等の生育増殖、ならびに除湿残留水のヘドロ化を助長する温床を作り出している。暖房運転期間中は小動物が室内機内の暖気に誘い込まれて侵入し汚染物を持ち込み生態して排泄物を垂れ流し、あるいは死骸となって不快臭気、カビ、雑菌等の生育増殖を促している。【解決手段】各種エアーコンディショナー室内機に電動ダンパー付き湿潤回避用排出口の取り付け、屋外まで排出筒を施工し、年間を通して空調運転停止中、運転直前時、終了時に室内機の送風機若しくは新規に取り付けた湿潤回避用送風機を運転し湿潤回避運転をせしめる。【選択図】　　　　　図３
2004085050.tif 000002
【特許請求の範囲】
【請求項１】
各種エアーコンディショナー設備において、室内機内湿潤回避運転が設定指令された時点で、室内機側面の電動ダンパー付き湿潤回避用排出口に接続した排出筒、若しくは換気排気筒を排出筒として利用し室内機内の湿潤空気を屋外に排出する湿潤回避装置。
【請求項２】
各種エアーコンディショナーにおいて、空調運転時以外の時間帯を活用し、室内送風機のみを運転し室内空気若しくは屋外空気を取り入れ、室内機内を通気せしめ熱交換機後段の空気を該室内機一部より屋外に排出する機能を有することを特徴とする室内機内湿潤回避運転機構付きエアーコンディショナー。
【請求項３】
各種エアーコンディショナーにおいて、湿潤回避運転設定指令解除と同時に空調運転に移行せしめる機能を有することを特徴とするエアーコンディショナー。
【請求項４】
各種エアーコンディショナーにおいて、自動運転タイマーを使用して空調運転以外の時間帯を活用し室内機内湿潤回避運転を設定して、空調運転開始直前に３０秒以上３分以内の連続運転及び、空調運転停止後から次回の空調運転開始時刻までの連続運転、又は間欠運転、並びに空調運転停止後からの３０分以上１０時間以内、若しくは空調運転開始時刻から溯って３０分以上１０時間以内に室内機送風機のみを運転し、湿潤回避運転を自動又は手動で制御する機能を有することを特徴とする請求項２のエアーコンディショナー。
【請求項５】
各種エアーコンディショナーの除湿残留水を速やかに排水及び、蒸発を促す特徴を持たせた形状のドレンパン。
【発明の詳細な説明】
【０００１】
【発明の属する技術分野】
本発明は室内機の送風機を運転せしめ、室内機内部の熱交換器及び、ドレンパン等に滞留する不快臭気、カビの胞子、雑菌等を奪取及び、除湿残留水を通気により蒸発せしめ奪取させ屋外に排出し、室内機内を湿潤回避並びに、室内へ不快臭気、カビの胞子、雑菌等を含んだ空気の拡散を防止する方法に関する。
【０００２】
【従来の技術】
現在の各種エアーコンディショナーは空調される空気に含まれている塵、埃が空調機能の低下をもたらすのを防ぐ目的で、空気吸い込み側に徐塵フィルターが取りつけられているが、徐塵フィルターを通過した微細な塵、埃、雑菌等が経年により熱交換機やドレンパン等に付着し蓄積されているのが現状である。
冷房運転期間中の室内機内は、空調運転の副産物としての除湿水が室内機から排水されているが、除湿水の一部が室内機内に除湿残留水となって滞留している。
空調運転終了後室内機内は除湿残留水の自然蒸発によって湿潤状態に保たれており、湿潤による構成部材劣化の誘発及び、蓄積した塵や埃に不快臭気の発生、カビ、雑菌等が生育増殖し、除湿残留水はヘドロ化へと推移している。
暖房運転期間中は暖気を伴った室内機内に小動物が侵入生態し、不快臭気の発生、カビ、雑菌等の生育増殖を促している。
年間を通じて主に空調開始時直後に不快臭気、カビの胞子、雑菌等を含んだ空気を室内に放出等と、冷房運転期間中はそれに併せて室内機内の湿潤状態による不快臭気の発生、カビ、雑菌等の生育増殖、構成部材劣化等の諸問題を引き起こしている。
【０００３】
【発明が解決しょうとする課題】
エアーコンディショナーに装着されている除塵フィルターを頻繁に清掃することは空調能力を発揮させるためには不可欠な要因ではある。しかし室内機内の不快臭気の発生、カビ、雑菌等の生育増殖、除湿残留水のヘドロ化等を阻止することまでには及んでいない。
冷房運転期間中はエアーコンディショナーの室内機内のドレンパン、熱交換器等に不快臭気、カビ、雑菌等が除湿残留水、塵、埃を媒介にして空気中の酸素と複合し発生、生育増殖しているのが現状である。
冷房期間中の空調運転終了時、室内機内の熱交換器付近は室内温度と温度差が生じ、自然対流で結露現象が生じて、僅かではあるが除湿水はドレンパンに増え続ける。
このような状態で室内機を放置していると、室内機内は湿潤状態が持続されており、湿潤による不快臭気の発生、カビ、雑菌等の生育増殖、構成部材の劣化等を助勢しているように考えられる。
冷房運転終了時から次回運転までの間においては、室内機内は除湿残留水の自然蒸発により湿潤状態が持続されており、室内機内部材が湿気による劣化、カビ、雑菌等の生育増殖を促成しているようにも考えられる。
現状での冷房運転期間中は上記述の繰り返しを行なっており、湿潤状態から脱却できない状況のなかで為されている。
暖房運転期間中の空調運転終了後は、室内機内は乾燥しカビ、雑菌等の生育増殖の度合いは低いと思われるが、室内機内の暖気に小動物が誘い込まれてカビ、雑菌等を持ち込み生態し、排泄物をまき散らし不快臭気の発生、カビ、雑菌等が生息せしめる土壌を作り、あるいは小動物が死骸となった後腐敗しカビ、雑菌等が生息し、ミイラ化に至るまで悪臭を発散し、不快臭気発生の根源となっている。
上記述の様々な状態でのエアーコンディショナーを空調運転期間中において、空調運転開始直後の不快臭気、カビの胞子、雑菌等を吹出し口からの放出、並びに冷房運転期間中の室内機内は運転中はもとより停止中においても、常時湿潤状態になっている等の諸問題点に着目した。
年間を通しては空調運転中に不快臭気、カビ、雑菌等が室内機内より剥離飛散し吹出し、特に空調運転開始直後の数分間に吹出し口で不快臭気を顕著に確認することができる問題点にも着目した。
【０００４】
【課題を解決するための手段】
上記述の着目点から、冷房運転期間中の湿潤回避運転を作動せしめることにより、室内への不快臭気、カビの胞子、雑菌等の放出を防ぎ、並びに室内機内の湿潤状態を室内空気、若しくは屋外空気の通過時に湿潤を奪取させ屋外に排出する。
本発明は室内への不快臭気、カビの胞子、雑菌等の放出されるのを阻止、並びに不快臭気の発生、カビ、雑菌等の生育増殖を担う湿潤状態を駆逐し、常時室内機内を湿潤回避状態に保持せしめる。
暖房運転期間中の湿潤回避運転は、空調運転開始時に確認できる不快臭気と、カビの胞子、雑菌等の排出を行う。
年間を通して湿潤回避運転を作動せしめることにより、室内機内の湿潤回避せしめる問題と、運転開始時に確認できる不快臭気、カビの胞子、雑菌等の吹出し口よりの放出防止との両問題を解決することができる。
民生用、産業用、カーエアーコンディショナーに至る広範囲の分野、また如何なる設置場所においても湿潤回避機構が適用することが可能である。
【０００５】
既設の空調設備において、本発明の施工方法を説明する。
湿潤回避用送風機として、室内機送風機を使用するか若しくは新たに送風機を設けてそれに伴う諸工事と、本発明機能を取り入れた電気配線箱及び、当該用のスイッチを設けて、送風が熱交換器通過後段の該室外機の一部に電動ダンパー付き湿潤回避用排出口を取り付ける。
電気配線箱、スイッチ、電動ダンパー付き湿潤回避用排出口等の配線接続工事及び、排出筒工事を施工し、室内機吹出し口のオートベーンが閉鎖時に通気漏れを防ぐ処置を施すことにより、容易に湿潤回避機構は完成される。
上記述のように既設の空調設備に、湿潤回避機構を新規取り付け施工においては、簡単な工事施工と安価な施工費で完成し、如何なる空調設備設置場所に付帯設備としての湿潤回避機構を持たせることが可能である。
【０００６】
小規模空調設備の湿潤空気を屋外に排出する付帯設備施工において、排出筒の長さ及び、施工状況により、室内機送風機の静圧不足が生じた場合は、排出筒の中間に湿潤回避運転用の送風機を設ける等、静圧不足を解消する手段を講ずることが好ましい。
【０００７】
複数台のエアーコンディショナー室内機内の湿潤回避運転機構の施工においては、排出用チャンバーボックス及び、湿潤回避用送風機を設ける等の補助設備を併用し、湿潤回避運転機構の効果を向上せしめることが好ましい
【０００８】
電動ダンパー付き湿潤回避用排出口との接続継手材は、天井内空気及び、屋外空気との熱交換による空調能力損失及び、結露水の発生を配慮して、非熱伝導材あるいは断熱を施した素材、かつ非腐蝕素材あるいは防錆処理された素材を使用することが好ましい。
【０００９】
湿潤回避運転において、室内空気を屋外に排出することが好ましくない状況、あるいは屋外空気を湿潤回避運転に利用する場合は、予め屋外空気取り入れ設備を施工し、屋外空気を取り入れことが好ましい。
但し、屋外空気取り入れる場合は、屋外空気取り入れ口に除塵フィルターを取り付け、室内機への塵、埃等の吸い込み防止措置を施す必要がある。
【００１０】
医療施設に設置されたエアーコンディショナーの湿潤回避運転は、空調開始時に吹出し口より放出される不快臭気、カビの胞子、雑菌等を室内への拡散防止を防ぎ環境保全に貢献する効果がある。
【００１１】
湿潤回避機構は各種エアーコンディショナーの意匠、機能に及ぶ要素は全くなく、あらゆるエアーコンディショナーの装着することができることを特徴とする。
【００１２】
天井カセットエアーコンディショナーの室内機は、その形状が空気の自然対流が芳しくないトラップ型となっていることから、除湿残留水は空気の自然対流による湿潤回避は困難を極め、湿潤状態が長時間にわたって持続され、湿潤回避問題の解決方法は、本発明を取り入れることが最良の方法である。
【００１３】
各種エアーコンディショナにおいて、急速な室内機内の湿潤回避を欲する場合は、予めドレンパンに組み込まれた電熱ヒーターを加熱し、湿潤回避運転を作動せしめることで目的は達せられる。
【００１４】
室内機内で空気が熱交換器を通過する手前に予め殺菌灯を取り付けておき、湿潤回避運転時に点灯、若しくは終日点灯せしめることにより、室内機内のカビ、雑菌等の生育抑制に一段と効果を発揮する。
【００１５】
湿潤回避運転の継続、停止の指令は、予め取り付けた除湿残留水が蒸発時に奪う蒸発潜熱を感知せしめる温度センサー、あるいは室内機内の湿度を感知する湿度センサーにより湿潤状態を感知せしめ、湿潤回避運転タイマー設定より優先して制御せしめることが、より一層確実かつ経済的な効果を得る。
【００１６】
高湿度状態になる室内においては、エアーコンディショナー停止中に連続若しくは長時間湿潤回避運転を作動せしめることが好ましい。
【００１７】
娯楽施設、飲食施設、劇場等多人数を収容する場所に設置されたエアーコンディショナーにおいては、室内空気を吸い込み湿潤回避運転を作動せしめることは室内換気を補足し好ましい。
【００１８】
ドレンアップ機構を持つエアーコンディショナーにおいては、ドレン排水取り入れ口を図１０Ａ、図１０Ｂに示すように取り付け、自然流出式ドレンパンにおいては、図１１Ａ、図１１Ｂに示すように排水口溜まり１４の底面にドレン排水口１５を取り付ける。冷房運転停止時に除湿残留水が速やかに皆無になるように改善することにより、湿潤回避運転時間を短縮する効果がある。
【００１９】
ドレンパンの断面を図１２Ａ、図１２Ｂのような形状に改良し排水溝１６の壁面には毛細管現象を促す素材１７を張り、除湿残留水の蒸発を助成する処置を施し、合わせてドレンアップ機構の立ち上がり排水管には逆止弁を取り付け除湿水がドレンパンへの逆流を阻止することにより、湿潤回避の高効果と運転時間の短縮による運転経費節減効果がある。
【００２０】
【発明の実施の形態】
発明の実施の形態を実施例にもとづき図面を参照して説明する。
図１において、電動ダンパー付き湿潤回避用排出口３は、湿潤回避運転開始時に電動ダンパーは開口し、終了時に閉鎖する。
同行程に合わせて化粧パネル２の吹出し口オートベーンも開口、閉鎖せしめる。
【００２１】
図２に示される実施例では、室内機本体１の４側面の１ヶ所ないし数ヶ所に電動ダンパー付き湿潤回避用排出口３を１個ないし数個取り付ける。
【００２２】
図３にに示される実施例では、室内機本体１の側面に取り付けた電動ダンパー付き湿潤回避用排出口３から排出筒１０を屋外に面した壁面まで施工し、先端に防虫ネット付きベンドキャップ９を取り付ける。
湿潤回避運転時には室内機送風機のみ運転することにより吸い込まれた空気は、室内機内の湿潤を奪取し排出筒１０を通り屋外に排出し、室内機内を湿潤回避せしめる。
【００２３】
図４に示される実施例では、室内機本体１の右配管接続側に送風機室を包み込むように、電動ダンパー付き湿潤回避用排出口３を取り付ける。
【００２４】
図５に示される実施例では、送風機室を包み込むように電動ダンパー付き湿潤回避用排出口３を取り付け、屋外に面した壁面まで排出筒を施工し、先端に防虫ネット付きベンドキャップ９を取り付ける。
【００２５】
図６に示される実施例では、湿潤回避運転時に室内機本体１の吸い込み口より吸い込まれた空気が、排出空気の流れ１１のように室内機内を一巡するときに、不快臭気、カビの胞子、雑菌、湿潤等を奪取しオートベーンが閉鎖された吹出し口５より室内には放出されず、排出筒１０を通り屋外へ排出せしめる。
【００２６】
図７に示される実施例では、電動ダンパ付き湿潤回避用排出口３を室内機本体の上面に１個ないし数個取り付ける。
【００２７】
図８に示される実施例では、電動ダンパー付き湿潤回避用排出口３を室内機本体１の上面の室内機送風機により送り出された空気が熱交換器８を通過後の上面部に取り付ける。
【００２８】
図９に示される実施例では、室内機送風機により吸い込まれた空気が不快臭気、カビ胞子、雑菌等及び、湿潤を奪取して屋外に排出せしめる。
上記述のように各種エアーコンディショナーの室内機側面に電動ダンパー付き湿潤回避用排出口３を取り付け、湿潤回避運転時に室内機の送風機を自動発停させ、電動ダンパー付き湿潤回避用排出口３、吹出し口５のオートベーンを連動自動開閉し機能を発揮せしめる。
【００２９】
図１０Ａ、図１０Ｂに示される実施例では、ドレンアップ機構を持つドレンパン１２の排水口溜まり１４の底部にドレン排水口１５を取り付け、ドレンアップ機構１３が停止した時除湿残留水が滞留しないように改良した。
【００３０】
図１１Ａ、図１１Ｂに示される実施例では、自然流出式ドレンパンのドレンパン１２のドレン排水溜まり１４にドレン排水口１３を接続して除湿残留水が滞留しないように改良した。
【００３１】
図１２Ａ、図１２Ｂ２示される実施例では、ドレンパン１２の底面に排水溝１６を施した形状にし、側面の内側には毛細管現象をせしめる素材１７を張り除湿残留水を自然蒸発を促し、湿潤回避運転時間を短縮できるようを工夫を加えた。
【００３２】
各種のエアーコンディショナーの排出筒施工に際しては次の項目を留意し施工する。
排出筒の先端には、Ｌ型防虫ネット付きベンドキャップ８を取り付け、降雨の流入及び、小動物等の侵入を阻止する。
排出筒の施工においては、室内排出口から屋外排出口に向かって下り勾配を設け、排出筒内の不快臭気、カビの胞子、雑菌、湿潤空気等が室内機内への逆流を防ぐよう配慮し施工する。
排出筒は室内換気扇の排気筒の施工状況によっては、排出筒接続可能である。
但し、相互間への逆流防止を考慮しなければならない。
【００３３】
壁掛け型エアーコンディショナーにおいて、左配管取り出しの場合を考慮して、左側に湿潤回避用排出口取り付け可能措置を講ずる。
【００３４】
冷房期間中空調運転開始時直前の湿潤回避運転目的は、停止中に発生した不快臭気、カビの胞子、雑菌等が開始直後に吹出し空気に混入し、室内へ汚染拡散されるのを阻止するために、排出筒を通して屋外に排出することである。
空調運転終了後から次回の空調運転開始までの湿潤回避運転の目的は、室内機内の湿潤回避により、不快臭気の発生、カビ、雑菌等の生育増殖、除湿残留水のヘドロ化を促す環境を阻止することにある。
その充分な効果を得るために、ドレンパンにポンプアップ機構を持つ機種においては、室内機の送風機が停止後、ポンプアップ排水機構を数分間継続運転せしめ、送風機の通気により熱交換器フィンに引き付けられていた除湿水がドレンパンに流れ落ち尽きるまで、ポンプアップ排水機構を運転して除湿残留水を少なくし、その後ポンプアップ機構を停止せしめる。
ドレンパンが自然流出式においては、充分に除湿水の排水が為された時間差後に、湿潤回避運転を作動せしめる。
【００３５】
空調停止中数回の湿潤回避運転を作動せしめることは、室内への汚染空気の拡散はもとより常時室内機内を湿潤回避状態を保持し、各部材の防錆劣化、電気部材の絶縁劣化防止等にも役立ち、エアーコンディショナー自体の延命にも寄与する。
【００３６】
湿潤回避運転機構の任意設定自動運転機能はタイマー設定機能を設けて下記の要領で湿潤回避運転を作動せしめる。
空調運転開始直前は空調運転スイッチ操作により室内機取り付けの電動ダンパー付き湿潤回避用排出口が開口され、（吹出し口オートベーンは閉鎖された状態にある）予め段階的にタイマー設定された数分間湿潤回避運転をせしめる。
湿潤回避運転終了後に電動ダンパー付き湿潤回避用排出口は閉鎖され、空調運転に移行する。
空調運転終了時は吹出し口オートベーンが閉鎖した後、エアーコンディショナー本体に設定された数分間の時間差後に電動ダンパー付き湿潤回避用排出口が開口され、予めリモコンタイマーに設定された３０分以上１０時間以内湿潤回避運転を作動せしめる。
湿潤回避運転終了後に電動ダンパー付き湿潤回避用排出口を閉鎖する。
（空調運転中の温度調節機能作動、制御回路作動及び、故障発生時等は湿潤回避運転は作動させない）
空調運転停止中の連続湿潤回避運転設定の場合は電動ダンパー付き湿潤回避用排出口のみが開口され湿潤回避運転を作動せしめる。
間欠的に湿潤回避運転設定の場合は、予めリモコンタイマーに設定された時刻に電動ダンパー付き湿潤回避用排出口のみが開口され、予め設定された３０分以上１０時間以内湿潤回避運転を作動せしめる。
湿潤回避運転終了後、電動ダンパー付き湿潤回避用排出口を閉鎖する。
湿潤回避運転の手動運転はリモコンタイマーを解除し、空調運転開始直前並びに空調運転停止中のみ湿潤回避運転を作動せしめる機構である。
【００３７】
【発明の効果】
本発明は以上説明したような機構を取り付けることにより、以下記載されるような効果を発揮する。
【００３８】
湿潤回避運転を作動せしめることにより、空調開始時直後に確認される不快臭気を屋外に排出せしめ、室内への汚染空気の拡散を阻止することができる。
【００３９】
冷房運転期間中は室内機内の湿潤状態が起因して熱交換器に塵、埃の付着及び、カビの増殖による熱交換器の能力効率の低下、並びにドレンアップポンプ吸い込み口側の除湿残留水がヘドロ化により排水機能の低下を引き起こし、ドレンパンフロートスイッチ作動による冷房運転停止等、エアーコンディショナーの故障発生率を湿潤回避運転を作動せしめることにより低下し、潜在的な経費節減効果もある。
【００４０】
湿潤回避運転機構を作動せしめることにより、室内への汚染空気の放出を免れ、カビの胞子、雑菌等が人体の及ぼす悪影響を阻止し、室内環境保全の役割を果たす。
【００４１】
湿潤回避運転機構を施工する費用は、安価な部材の取り付けと、比較的単純な排出筒施工で完成することができる。
【００４２】
冷房運転期間中においては、空調運転停止中に湿潤回避運転を作動せしめることにより、室内機内を常時湿潤回避状態に保持し不快臭気の発生、カビ、雑菌等の生育増殖、除湿残留水のヘドロ化を阻止することができる。
同時に室内機内の電気部材の絶縁劣化、構成部品の腐蝕劣化等を防ぐ効果を発揮する。
【００４３】
室内機内を湿潤回避することにより、室内機内の断熱材を湿潤による劣化から守り、経年により空調運転時に吹出し口より、黒い断熱材の粉塵飛散によって起こる室内汚染を遅延させる効果がある。
【００４４】
空調機運転停止中、開始直前時、終了時等に湿潤回避運転を作動せしめることにより、室内機内で不快臭気の発生、カビ、雑菌等の生育増殖、除湿残留水のヘドロ化を進行させる土壌を根絶することができる。
【００４５】
湿潤回避運転機構において、湿潤回避運転をタイマーに設定機能に組み入れて、任意に自動設定湿潤運転を作動せしめることにより、湿潤回避運転機構の管理省力化を備えることが可能である。
【００４６】
ドレンパンに毛細管現象をせしめる素材を張ることにより除湿残留水の蒸発を促し、湿潤運転時間を短縮することができ経済的効果を生ずる。
【００４７】
湿潤回避機構は快適空間構築施工において、一段と熟成した施工方法に推移せしめる画期的な創案である。
【図面の簡単な説明】
【図１】天井カセット型エアーコンディショナー室内機本体側面図。
【図２】天井カセット型エアーコンディショナー室内機本体平面図。
【図３】天井カセット型エアーコンディショナー室内機を設置した概念図。
【図４】壁掛け型エアーコンディショナー室内機本体より化粧パネルを取り外した状態の正面図。
【図５】壁掛け型エアーコンディショナー室内機本体右側面図。
【図６】壁掛け型エアーコンディショナー室内機本体取り付けした拡大右側図。
【図７】天井吊り型エアーコンディショナー室内機本体正面図。
【図８】天井吊り型エアーコンディショナー室内機本体右側面図。
【図９】天井吊り型エアーコンディショナー室内機本体を設置した天井内概念図。
【図１０Ａ】天井カセット型エアーコンディショナーのドレンパン排水取り出し口溜まりの立面拡大図。
【図１０Ｂ】天井カセット型エアーコンディショナーのドレンパン排水取り出し口溜まりの平面拡大図。
【図１１Ａ】自然流下排水ドレンパンの排水口溜まりの立面拡大図。
【図１１Ｂ】自然流下排水ドレンパンノ排水口溜まりの平面拡大図。
【図１２Ａ】各種エアーコンディショナーのドレンパン正面の断面拡大図。
【図１２Ｂ】各種エアーコンディショナーのドレンパン側面の断面拡大図。
【符号の説明】
１　　室内機本体
２　　化粧パネル
３　　電動ダンパー付き湿潤回避用排出口
４　　吸い込み口
５　　吹出し口
６　　排出口ダンパーモーター
７　　排出口ダンパー
８　　熱交換器
９　　防虫ネット付きベンドキャップ
１０　排出筒
１１　排出空気の流れ
１２　ドレンパン
１３　ドレンアップ機構
１４　排水口溜まり
１５　ドレン排水口
１６　排水溝
１７　毛細管現象をせしめる素材
【図１】
2004085050.tif 000003
【図２】
2004085050.tif 000004
【図３】
2004085050.tif 000005
【図４】
2004085050.tif 000006
【図５】
2004085050.tif 000007
【図６】
2004085050.tif 000008
【図７】
2004085050.tif 000009
【図８】
2004085050.tif 000010
【図９】
2004085050.tif 000011
【図１０Ａ】
2004085050.tif 000012
【図１０Ｂ】
2004085050.tif 000013
【図１１Ａ】
2004085050.tif 000014
【図１１Ｂ】
2004085050.tif 000015
【図１２Ａ】
2004085050.tif 000016
【図１２Ｂ】
2004085050.tif 000017